(57)【特許請求の範囲】
【請求項１】
互いに対面して配される左右の縦部材と、
前記左右の縦部材の上端部間に横設される上横部材と、
前記左右の縦部材の下端部間に横設される下横部材とを備える
弾球遊技機の外枠において、
前記縦部材の少なくとも一方はアルミニウム合金の押出成形品で板状であり、前記上横部材は木板であり、
前記押出成形品の縦部材と前記上横部材とを連結するために両者にネジ止めされる連結板金は、
前記上横部材の上面から端面にわたって前記上横部材の外側表面に当接する外面当接部と、
前記押出成形品の縦部材の内側表面に当接する内面当接部と、
前記押出成形品の縦部材の上端面と前記上横部材との間に挟まれて前記外面当接部と前記内面当接部とを連結する仲介部と
を備え、
前記縦部材の上端面は、前記内面当接部より内側にある部分を前記上横部材の下面に当接させてあり、前記内面当接部より外側にある部分を前記仲介部の下面に当接させてある
ことを特徴とする弾球遊技機の外枠。
【発明の詳細な説明】
【技術分野】
【０００１】
本発明は、弾球遊技機の技術分野に属する。
【背景技術】
【０００２】
パチンコ機などの弾球遊技機は、外殻となり遊技機設置島に固定される外枠を備えている。外枠の内側には遊技盤を保持する中枠が配され、中枠の前側には遊技盤を臨ませるための窓を有する有窓枠が配され、また中枠、有窓枠とも扉状に開閉可能にされているのが普通である。
【０００３】
外枠は、互いに対面して配される左右の縦部材と、前記左右の縦部材の上端部間に横設される上横部材と、前記左右の縦部材の下端部間に横設される下横部材とを備えるが、
その外枠を構成する上横部材を木板、縦部材の一方又は両方をアルミニウム合金の押出成形品として、外枠の強度を高めたり軽量化を図る技術が知られている。
【特許文献１】特開２００８−６１９５３号公報
【発明の開示】
【発明が解決しようとする課題】
【０００４】
木板である上横部材とアルミニウム合金の押出成形品である縦部材との連結は、例えばアングル状の連結金具を両者にネジ止めすることで行われている。
このアングル状の連結金具は、コーナーの外側に配される場合と同内側に配される場合とがある。一方、どちらの場合もビスは外側から内側へとねじ込まれるので、以下のような問題があった。
（ａ）連結金具を外側に配した場合は、ビスが押出成形品である縦部材に螺入するが、それだけでは十分な結合力が得られないので、内側に板金部品を配して、縦部材を貫通したビスの先端部をこれに螺合させることが行われていた。
（ｂ）連結金具を内側に配した場合は、ビスの頭が板材である上横部材を押圧することになるので、ビスの頭が板材である上横部材をくぼませて進入するのを防ぐために座付きビスや座金を用いる等の対策が必要であった。
【０００５】
言うまでもないが、（ａ）なら座付きビスを用いる等の対策は不要であり、（ｂ）なら内側に板金部品を配する必要はない。つまり、（ａ）、（ｂ）とも一長一短である。
【課題を解決するための手段】
【０００６】
請求項１記載の弾球遊技機の外枠は、
互いに対面して配される左右の縦部材と、
前記左右の縦部材の上端部間に横設される上横部材と、
前記左右の縦部材の下端部間に横設される下横部材とを備える
弾球遊技機の外枠において、
前記縦部材の少なくとも一方はアルミニウム合金の押出成形品で板状であり、前記上横部材は木板であり、
前記押出成形品の縦部材と前記上横部材とを連結するために両者にネジ止めされる連結板金は、
前記上横部材の上面から端面にわたって前記上横部材の外側表面に当接する外面当接部と、
前記押出成形品の縦部材の内側表面に当接する内面当接部と、
前記押出成形品の縦部材の上端面と前記上横部材との間に挟まれて前記外面当接部と前記内面当接部とを連結する仲介部とを備え、
前記縦部材の上端面は、前記内面当接部より内側にある部分を前記上横部材の下面に当接させてあり、前記内面当接部より外側にある部分を前記仲介部の下面に当接させてある
ことを特徴とする。
【０００７】
請求項１記載の弾球遊技機の外枠では、アルミニウム合金の押出成形品の縦部材と板材である上横部材とを連結するために両者にネジ止めされる連結板金は、上横部材の上面から端面にわたって上横部材の外側表面に当接する外面当接部と、押出成形品の縦部材の内側表面に当接する内面当接部と、押出成形品の縦部材の上端面と上横部材との間に挟まれて外面当接部と内面当接部とを連結する仲介部とを備え、縦部材の上端面は、内面当接部より内側にある部分を上横部材の下面に当接させてあり、内面当接部より外側にある部分を仲介部の下面に当接させてあるので、
上横部材にねじ込まれるビスに対しては外面当接部が座金として機能するから、ここに座付きビスや座金を用いる必要はなく、
アルミニウム合金の押出成形品の縦部材にねじ込まれるビスは内面当接部に螺合するので、ビスを螺合させるための板金部品を配する必要はない。
【発明を実施するための最良の形態】
【０００８】
［実施例］
図１及び図２に示すように、本実施例の弾球遊技機の外枠（以下、単に「外枠」ともいう。）１は、いずれもアルミニウム（正確にはアルミニウム合金）の押出成形品である左の縦部材２と右の縦部材３とを備えている。これら左の縦部材２と右の縦部材３とは対面状に配置されている。
【０００９】
左の縦部材２及び右の縦部材３は、図１（ｂ）に示される端面形状から明らかなとおり正確な板材ではないが、幅（図１（ｂ）、（ｃ）における上下寸法）と長さ（図１（ａ）における上下寸法、図１（ｃ）における左右寸法）が共に、厚み（図１（ａ）、（ｂ）における左右寸法）を大きく上回っていることから、板状といえる。
【００１０】
それら左右の縦部材２、３の上端部間には木板である上横部材５が横設される。また、左右の縦部材２、３の下端部間には下横部材が横設されるが、下横部材の図示は省略してある。
【００１１】
右の縦部材３の上端部と上横部材５とは、連結板金７を用いて連結されている。
図１（ｄ）に拡大して示すように、上横部材５の右端部には上側を切削して階段状にした上板金受容部６が形成されおり、連結板金７には上板金受容部６に受容される上面当接部８が設けられている。上面当接部８は、上板金受容部６の切削分をほぼ埋め合わせる形状、寸法であり、ビスのためのビス穴８ａを２箇所に備えている。そして、これらビス穴８ａに貫挿されたビス（図示せず）によって上横部材５にネジ止めされている。これらのビスは、上横部材５を貫通しており、先端部はネジ受板金１５に螺合している。
【００１２】
上面当接部８には端面当接部９が連接されており、端面当接部９は上横部材５の右側の端面１０に当接させられる。これら上面当接部８と端面当接部９とで構成されるＬ字状の部分が外面当接部に該当する。
【００１３】
端面当接部９の下端には仲介部１１が連接されている。仲介部１１は上面当接部８と平行に配されており、上面当接部８及び端面当接部９とでＵ字溝状の構造を形成している。一方、上横部材５の右端部（下側）には、上板金受容部６と同様の切削加工により、下板金受容部１２が形成されている。図示するように、仲介部１１は下板金受容部１２の切削分をほぼ埋め合わせる形状、寸法である。
【００１４】
右の縦部材３の上端面は上横部材５に対して突き合わせ状になっているが、図示するように両者の突き合わせ部分には隙間は無い（但し、下板金受容部１２は除く。）。従って、仲介部１１は下板金受容部１２に受容されて右の縦部材３の上端面と上横部材５との間に挟まれた状態になっている。
【００１５】
上板金受容部６と下板金受容部１２とは平行に配されているが端面１０からの切れ込み長さは、図示する通りに異なっている。
仲介部１１の他端には内面当接部１３が連接されている。内面当接部１３は、仲介部１１及び上面当接部８に垂直方向、端面当接部９に対しては平行となる方向に、仲介部１１から垂下されている。
【００１６】
内面当接部１３は右の縦部材３の内側表面に当接しているが、内面当接部１３が当接する範囲では右の縦部材３の内側に形成された斜面状の突起部３ａが切除されていて、ほぼ平坦な面になっている。
【００１７】
内面当接部１３には４箇所のビス用下穴１３ａが設けられており、右の縦部材３に設けられた４箇所のビス穴３ｂに貫挿されたビス（図示せず）をビス用下穴１３ａに螺合させることで、右の縦部材３にネジ止めされている。
【００１８】
このようにして、右の縦部材３の上端部と上横部材５とが連結板金７を用いて連結されている。
一方、左の縦部材２と上横部材５とは、アングル状の内連結板金１７とヒンジ保持部材１８とを用いて連結されている。なお、ヒンジ保持部材１８は中枠（図示せず）のヒンジ軸を保持するための軸受部１９を備えており、左の縦部材２と上横部材５との連結に用いられるのは、軸受部１９を除いた部分である。
【００１９】
内連結板金１７は、左の縦部材２と上横部材５との連結部分（コーナー）の内側に配されて、左の縦部材２とは、左の縦部材２に貫挿されたビス（図示せず）をビス用下穴１３ａに螺合させることで連結されている。この連結構造は内面当接部１３と右の縦部材３とのネジ止めによる連結と同様である。
【００２０】
また、内連結板金１７、上横部材５及びヒンジ保持部材１８は、ヒンジ保持部材１８に４箇所設けられたビス穴に貫挿され、上横部材５を貫通して先端部を内連結板金１７に螺合させたビス（図示せず）によって、互いに連結されている。この連結構造は、内面当接部１３、上横部材５及びネジ受板金１５の連結と類似している。
【００２１】
本実施例の弾球遊技機の外枠１は、互いに対面して配される左右の縦部材２、３と、左右の縦部材２、３の上端部間に横設される上横部材５と、左右の縦部材２、３の下端部間に横設される下横部材とを備える弾球遊技機の外枠１であって、縦部材２、３はアルミニウム合金の押出成形品で板状であり、上横部材５は木板であり、右の縦部材３と上横部材５とを連結するために両者にネジ止めされる連結板金７は、上面当接部８と端面当接部９とで構成されるＬ字状で上横部材５の上板金受容部６から端面１０にわたって上横部材５の外側表面に当接する外面当接部と、右の縦部材３の内側表面に当接する内面当接部１３と、右の縦部材３の上端面と上横部材５との間に挟まれて端面当接部９と内面当接部１３とを連結する仲介部１１とを備えるので、上横部材５にねじ込まれるビスに対しては上面当接部８が座金として機能するから、ここに座付きビスや座金を用いる必要はなく、アルミニウム合金の押出成形品の右の縦部材３にねじ込まれるビスは内面当接部１３に螺合するので、ビスを螺合させるための板金部品を配する必要はない。
【図面の簡単な説明】
【００２２】
【図１】実施例の外枠（下横部材は図示しない）の正面図（ａ）、底面図（ｂ）、右側面図（ｃ）、部分拡大図（ｄ）。
【図２】実施例の外枠の４方向から斜視図。
【符号の説明】
【００２３】
１・・・外枠、
２・・・左の縦部材、
３・・・右の縦部材、
５・・・上横部材、
６・・・上板金受容部、
７・・・連結板金、
８・・・上面当接部、
９・・・端面当接部、
１０・・・端面、
１１・・・仲介部、
１２・・・下板金受容部、
１３・・・内面当接部、
１５・・・ネジ受板金、
１７・・・内連結板金、
１８・・・ヒンジ保持部材。
【図１】
0005275694.tif 000002
【図２】
0005275694.tif 000003